(57)【要約】【課題】刺さりやすく、かつ、掬う量を多くすることができるスコップを提供する。【解決手段】さじ部１２の先端部には、先端に向かい幅が狭くなるように突出された複数の突出部１２Ａが設けられている。さじ部１２の側部及び基端部には、さじ部１２との間に間隔を開けて、棒状部材により囲い部１４が設けられている。囲い部１４は、例えば、さじ部１２の側部及び基端部に沿って、基端部から側部に伸長して設けられている。囲い部１４の基端部におけるさじ部１２からの高さは、２ｃｍ以上５ｃｍ以下の範囲内とすることが好ましい。【選択図】図１
0003207177.tif 000002
【実用新案登録請求の範囲】
【請求項１】
柄の一端部にさじ部が設けられたスコップであって、
前記さじ部の先端部には、先端に向かい幅が狭くなるように突出された複数の突出部が設けられ、
前記さじ部の側部及び基端部には、前記さじ部との間に間隔を開けて、棒状部材により囲い部が設けられた
ことを特徴とするスコップ。
【請求項２】
前記囲い部は、前記さじ部の前記側部及び前記基端部に沿って、前記基端部から前記側部に伸長して設けられており、
前記囲い部の前記基端部における前記さじ部からの高さは、２ｃｍ以上５ｃｍ以下であり、
前記囲い部の前記側部における先端は、前記基端部から前記先端部に向かい、前記基端部と前記先端部との間の距離の５０％以上８０％以内の範囲内で離れた領域に位置している
ことを特徴とする請求項１記載のスコップ。
【請求項３】
前記突出部の長さは４．５ｃｍ以上６．５ｃｍ以下である
ことを特徴とする請求項１又は請求項２記載のスコップ。
【考案の詳細な説明】
【技術分野】
【０００１】
本考案は、柄の一端部にさじ部が設けられたスコップに関する。
【背景技術】
【０００２】
さじ部の先端が直線状である角型スコップは、一度に多くを掘り取ることができるという特徴を有している。しかし、その一方で、砂利や土に刺さりにくいので掬うのが難しく、また、雪掻きにおいても、凍った状態のものを砕き割るのが難しかった。そこで、例えば、さじ部の先端部に、先端に向かい幅が狭くなるように突出された楔形部を形成し、刺さりやすくしたスコップが提案されている（例えば、特許文献１参照）。
【先行技術文献】
【特許文献】
【０００３】
【特許文献１】特開平９−２７９６２０号公報
【考案の概要】
【考案が解決しようとする課題】
【０００４】
しかしながら、特許文献１のように、さじ部の先端部に楔形部を形成すると、掬面が少なくなるので、掬える量が少なくなってしまい、作業効率が良くないという問題があった。
【０００５】
本考案は、このような問題に基づきなされたものであり、刺さりやすく、かつ、掬う量を多くすることができるスコップを提供することを目的とする。
【課題を解決するための手段】
【０００６】
本考案のスコップは、柄の一端部にさじ部が設けられたものであって、さじ部の先端部には、先端に向かい幅が狭くなるように突出された複数の突出部が設けられ、さじ部の側部及び基端部には、さじ部との間に間隔を開けて、棒状部材により囲い部が設けられたものである。
【考案の効果】
【０００７】
本考案によれば、さじ部の先端部に、先端に向かい幅が狭くなるように突出された複数の突出部を設けるようにしたので、刺し込みにくい砕石や土砂等、又は、粘土質の土壌であっても、容易に刺して掬うことができる。また、除雪作業や堅い雪の崩し等も簡単に行うことができる。更に、砕石均し作業の場合、従来のスコップでは大きな砕石だけ運び小さい石が残ってしまうが、本考案によれば、小さい石も一緒に運ぶことができる。
【０００８】
また、本考案によれば、さじ部の側部及び基端部に、さじ部との間に間隔を開けて囲い部を設けるようにしたので、囲い部により掬ったものを支えることができ、掬う量を多くすることができる。
【０００９】
更に、囲い部の基端部におけるさじ部からの高さを２ｃｍ以上５ｃｍ以下とするようにすれば、又は、囲い部の側部における先端が、基端部から先端部に向かい、基端部と先端部との間の距離の５０％以上８０％以内の範囲内で離れた領域に位置するようにすれば、又は、突出部の長さを４．５ｃｍ以上６．５ｃｍ以下とするようにすれば、より高い効果を得ることができる。
【図面の簡単な説明】
【００１０】
【図１】本考案の一実施の形態に係るスコップの構成を表す図である。
【考案を実施するための形態】
【００１１】
以下、本考案の実施の形態について、図面を参照して詳細に説明する。
【００１２】
図１は、本考案の一実施の形態に係るスコップの構成を表すものであり、図１（Ａ）は掬う面の側から見た図、図１（Ｂ）は横から見た図である。このスコップ１０は、例えば、角型スコップ等の平坦な先端部を有するスコップを改良したものであり、柄１１の一端部にさじ部１２が設けられ、柄１１の他端部には握り部１３が設けられている。
【００１３】
さじ部１２の先端部には、先端に向かい幅が狭くなるように突出された複数の突出部１２Ａが設けられている。容易に刺して掬うことができるようにするためである。突出部１２Ａは、例えば、さじ部１２の側部に沿って両側に１つずつ設けられ、更に、その間に３つ設けられることが好ましい。突出部１２Ａの先端は、尖っていてもよいが、平坦部１２Ｂが設けられていてもよい。突出部１２Ａの長さＬ１は、例えば、４，５ｃｍ以上６．５ｃｍ以下であることが好ましい。４．５ｃｍよりも短いと、刺す力が弱くなり、６．５ｃｍよりも長いと掬う面が小さくなってしまうからである。
【００１４】
さじ部１２の側部及び基端部には、さじ部１２との間に間隔を開けて、棒状部材により囲い部１４が設けられている。囲い部１４は、例えば、さじ部１２の側部及び基端部に沿って、基端部から側部に伸長して設けられている。これにより、囲い部１４で掬ったものを支え、掬う量を多くすることができるようになっている。囲い部１４を棒状部材により構成し、さじ部１２との間に間隔を設けるのは、例えば、粘土質の土を掬った時に囲い部１４にくっついて離れなくなってしまうことを防止するためである。
【００１５】
囲い部１４を構成する棒状部材は、例えば、鉄やステンレスなどの金属製の針金が好ましい。棒状部材の直径は、例えば、３ｍｍ以上７ｍｍ以下の範囲内とすることが好ましく、４ｍｍ以上６ｍｍ以下の範囲内とすればより好ましい。３ｍｍよりも細いと十分な強度を得ることができないが、７ｍｍよりも強度を高くする必要性は低いからである。囲い部１４の基端部におけるさじ部１２からの高さＨは、２ｃｍ以上５ｃｍ以下の範囲内とすることが好ましく、３ｃｍ以上４ｃｍ以下の範囲内とすればより好ましい。２ｃｍよりも低いと掬う量を十分に多くすることができず、５ｃｍよりも高いと保管時や持ち運び時に邪魔になる恐れがあるからである。
【００１６】
囲い部１４の側部における先端は、例えば、基端部から先端部に向かい、基端部と先端部との間の距離Ｌ２の５０％以上８０％以内の範囲内で離れた領域Ｘ１に位置していることが好ましく、基端部と先端部との間の距離の６０％以上７５％以内の範囲内で離れた領域Ｘ２に位置すればより好ましい。基端部と先端部との間の距離Ｌ２の５０％未満では囲い部１４の長さが短く掬う量を多くすることができず、基端部と先端部との間の距離の８０％を超えると先端部に近くなりすぎ刺す時に邪魔になってしまうからである。
【００１７】
なお、囲い部１４の側部におけるさじ部１２からの高さは、基端部における高さと同一でもよいが、先端側において高さを徐々に低くすることが好ましい。刺す時に邪魔にならないようにするためである。また、囲い部１４とさじ部１２との間には、必要に応じて、棒状部材等よりなる支持部１５を設けることが好ましい。
【００１８】
このように本実施の形態によれば、さじ部１２の先端部に、先端に向かい幅が狭くなるように突出された複数の突出部１２Ａを設けるようにしたので、刺し込みにくい砕石や土砂等、又は、粘土質の土壌であっても、容易に刺して掬うことができる。また、除雪作業や堅い雪の崩し等も簡単に行うことができる。更に、砕石均し作業の場合、従来のスコップでは大きな砕石だけ運び小さい石が残ってしまうが、本考案によれば、小さい石も一緒に運ぶことができる。
【００１９】
また、さじ部１２の側部及び基端部に、さじ部１２との間に間隔を開けて囲い部１４を設けるようにしたので、囲い部１４により掬ったものを支えることができ、掬う量を多くすることができる。
【００２０】
更に、囲い部１４の基端部におけるさじ部１２からの高さＨを２ｃｍ以上５ｃｍ以下とするようにすれば、又は、囲い部１４の側部における先端が、基端部から先端部に向かい、基端部と先端部との間の距離Ｌ２の５０％以上８０％以内の範囲内で離れた領域Ｘ１に位置するようにすれば、又は、突出部１２Ａの長さを４．５ｃｍ以上６．５ｃｍ以下とするようにすれば、より高い効果を得ることができる。
【００２１】
以上、各実施の形態を挙げて本考案を説明したが、本考案は上記各実施の形態に限定されるものではなく、種々変形可能である。例えば、上記各実施の形態では、各構成要素について具体的に説明したが、全ての構成要素を備えていなくてもよく、また、他の構成要素を備えていてもよい。
【符号の説明】
【００２２】
１０…スコップ、１１…柄、１２…さじ部、１２Ａ…突出部、１２Ｂ…平坦部、１３…握り部、１４…囲い部、１５…支持部
【図１】
0003207177.tif 000003